(57)【要約】【課題】前面パネルを照明する光源の数を少なくすることができる電子機器を提供する。【解決手段】電子機器１０は、前面パネル１６を透明部材の導光体とし、この導光体に２つのＬＥＤ２０、２１から入射した光Ｌ１を伝搬させる。この前面パネル１６には、ボリュームなどのノブを配置する開口部４０、４１に、入射した光Ｌ１を、ＭＤの挿入用開口部３９の背面側に反射させる反射部４０Ａ、４１Ａが形成され、これにより、操作ボタンの周縁や絵柄部４５などの光出射部から光を出射させることができる。【選択図】      図２
2004325682.tif 000002
【特許請求の範囲】
【請求項１】
機器本体に前面パネルが設けられた電子機器において、
前記前面パネルが導光体で形成され、この導光体は、光を出射させる複数の光出射部を有する構成を備え、
この導光体に光を入射させる光照射手段を備え、
前記導光体は、前記光出射部に略均一に光を伝搬させるように、前記光照射手段から前記導光体に入射された光を反射させる反射部が設けられることを特徴とする電子機器。
【請求項２】
前記反射部は、前記導光体に設けられた開口部に形成されることを特徴とする請求項１に記載の電子機器。
【請求項３】
前記導光体は、前記光照射手段から前記導光体に入射された光の伝搬を阻害する阻害部を有し、
前記反射部は、前記阻害部の背後に、前記光照射手段から前記導光体に入射された光を反射させることを特徴とする請求項１または２に記載の電子機器。
【請求項４】
前記阻害部は、当該電子機器が再生する記録媒体の挿入口であることを特徴とする請求項３に記載の電子機器。
【請求項５】
前記光照射手段は、前記導光体に対し、当該電子機器を設置する場合の上側から略下側に向かう方向に光を入射させることを特徴とする請求項１乃至４のいずれかに記載の電子機器。
【請求項６】
前記光照射手段は、前記導光体に設けられた開口部から前記導光体に光を入射させることを特徴とする請求項１乃至５のいずれかに記載の電子機器。
【請求項７】
前記光照射手段は、光源と、この光源の出射光を前記導光体に導く導光手段とを有することを特徴とする請求項１乃至６のいずれかに記載の電子機器。
【請求項８】
前記導光手段は、前記導光体を前記機器本体に固定するための留め具に配置されることを特徴とする請求項７に記載の電子機器。
【請求項９】
前記前面パネルには、前記電子機器が再生する記録媒体の挿入口が設けられ、
前記挿入口の周縁部に、前記光出射部が設けられていることを特徴とする請求項１乃至８のいずれかに記載の電子機器。
【発明の詳細な説明】
【０００１】
【発明の属する技術分野】
本発明は、前面パネルを備える電子機器に関する。
【０００２】
【従来の技術】
従来より、コンパクトディスク（ＣＤ）やミニディスク（ＭＤ）を再生したり、通信ネットワークを介してダウンロードした音楽情報や画像情報（地図など）を再生する電子機器が知られている。
【０００３】
この種の電子機器においては、前面パネルの一部、あるいは前面パネルに設けた操作スイッチを透明樹脂製とし、この透明樹脂の部材の背面側に発光ダイオード（ＬＥＤ）を配置して、前面パネルの一部や操作スイッチを照明するようになされている（例えば、特許文献１参照）。
【０００４】
【特許文献１】
特開２０００−１３２９５５号公報
【０００５】
【発明が解決しようとする課題】
しかしながら、従来の構成では、照明部位毎に光源（ＬＥＤなど）を配置する必要があるため、多数の光源が必要になるという問題がある。特に、暗所環境で使用される車載用電子機器においては、全ての操作スイッチを照明する必要があるため、より多くの光源が必要で、装置の小型化及びコスト低減に不利であった。
【０００６】
本発明は、上述した事情に鑑みてなされたものであり、前面パネルを照明する光源の数を少なくすることができる電子機器を提供することを目的としている。
【０００７】
【課題を解決するための手段】
上述課題を解決するため、請求項１に記載の発明は、機器本体に前面パネルが設けられた電子機器において、前記前面パネルが導光体で形成され、この導光体は、光を出射させる複数の光出射部を有する構成を備え、この導光体に光を入射させる光照射手段を備え、前記導光体は、前記光出射部に略均一に光を伝搬させるように、前記光照射手段から前記導光体に入射された光を反射させる反射部が設けられることを特徴とする。この構成によれば、前面パネルである導光体に設けられた複数の光出射部に略均等に光を伝搬することができるので、少ない光源で、各光出射部から均等に光を出射させることができる。
【０００８】
また、請求項２に記載の発明は、請求項１に記載の構成において、前記反射部は、前記導光体に設けられた開口部に形成されることを特徴とする。
【０００９】
また、請求項３に記載の発明は、請求項１または２に記載の構成において、前記導光体は、前記光照射手段から前記導光体に入射された光の伝搬を阻害する阻害部を有し、前記反射部は、前記阻害部の背後に、前記光照射手段から前記導光体に入射された光を反射させることを特徴とする。
【００１０】
また、請求項４に記載の発明は、請求項３に記載の構成において、前記阻害部は、当該電子機器が再生する記録媒体の挿入口であることを特徴とする。
【００１１】
また、請求項５に記載の発明は、請求項１乃至４のいずれかに記載の構成において、前記光照射手段は、前記導光体に対し、当該電子機器を設置する場合の上側から略下側に向かう方向に光を入射させることを特徴とする。
【００１２】
また、請求項６に記載の発明は、請求項１乃至５のいずれかに記載の構成において、前記光照射手段は、前記導光体に設けられた開口部から前記導光体に光を入射させることを特徴とする。
【００１３】
また、請求項７に記載の発明は、請求項１乃至６のいずれかに記載の構成において、前記光照射手段は、光源と、この光源の出射光を前記導光体に導く導光手段とを有することを特徴とする。
【００１４】
また、請求項８に記載の発明は、請求項７に記載の構成において、前記導光手段は、前記導光体を前記機器本体に固定するための留め具に配置されることを特徴とする。
【００１５】
また、請求項９に記載の発明は、請求項１乃至８のいずれかに記載の構成において、前記前面パネルには、前記電子機器が再生する記録媒体の挿入口が設けられ、前記挿入口の周縁部に、前記光出射部が設けられていることを特徴とする。
【００１６】
【発明の実施の形態】
以下、図面を参照して本発明の実施形態を詳述する。
【００１７】
以下に示す実施形態は、本発明の一態様を示すものであり、この発明を限定するものではなく、本発明の範囲内で任意に変更可能である。
【００１８】
図１は、本実施形態にかかる車載用の電子機器１０を示す分解斜視図である。この電子機器１０は、ＣＤ（ＣＤ−Ｒ／ＲＷを含む）、ＤＶＤ、ＭＤなどのディスク状記録媒体の再生機能及びチューナ機能を実現する各種部品を内蔵した機器本体１１に、プリント基板１２、樹脂パネル１３、デコレートパーツ１４、スペーサ１５及び前面パネル１６が順に取り付けられて構成される。
【００１９】
プリント基板１２は、この電子機器１０の上方の両角部に対応する位置に発光ダイオード（ＬＥＤ）２０、２１が配置されると共に、各種情報を表示するための液晶表示部（不図示）が配置される。また、このプリント基板１２には、ＬＥＤ２０、２１などの駆動回路や、後述するノブ２５、２６や各種操作スイッチ（不図示）の操作を検出する検出回路などが配設される。なお、ノブ２５、２６や各操作スイッチの操作検出結果は、機器本体１１に設けられた図示しない制御部に出力され、この制御部が、該検出結果に基づいてＬＥＤ２０、２１の発光制御やＣＤなどの再生制御などを行う。また、本実施形態の電子機器１０は、ＬＥＤ２０、２１として、複数色（例えば、Ｒ（レッド）／Ｇ（グリーン）／Ｂ（ブルー）の３色）の光を発光可能なバリアブルカラーＬＥＤが用いられ、ユーザの好みなどに応じて発光色を変更できるようになっている。
【００２０】
樹脂パネル１３は、機器本体１１に設けられた、ＣＤ及びＤＶＤの挿入口、ＭＤの挿入口、及びプリント基板１２に設けられた液晶表示部に対応する位置に開口部２７、２８、２９がそれぞれ設けられる。また、この樹脂パネル１３には、上方の両角部に、上記ＬＥＤ２０、２１の出射光を通す開口部３０、３１と、前面パネル１６の後述する留め具３２、３３を固定するためのねじ穴とが形成されると共に、各種操作スイッチが挿通される開口部が形成されて構成される。
【００２１】
デコレートパーツ１４は、本実施形態ではメッキパーツが適用され、この電子機器１０の前面デザインの意匠の一部を構成する。
【００２２】
前面パネル１６は、透明材料からなる部材であり、アクリル、ポリカーボネートまたはＡＢＳなどの透明樹脂、あるいはガラスで形成される。この前面パネル１６は、上方の両角部に、留め具３２、３３が挿通される開口部３４、３５がそれぞれ形成され、この開口部３４、３５に挿通された各留め具３２、３３が樹脂パネル１３の裏側からねじ３６、３７でそれぞれ固定されることによって、デコレートパーツ１４と共に樹脂パネル１３に固定される。
【００２３】
また、この前面パネル１６には、樹脂パネル１３に形成されたＣＤ、ＤＶＤ及びＭＤの挿入用の開口部２７、２９に対応する位置に同様の挿入用開口部３８、３９が設けられる。これにより、ＣＤなどの光ディスクを、この電子機器１０の前面から機器本体１１に簡易に装填できるようになっている。
【００２４】
また、この前面パネル１６には、下側の両角部に比較的大径の開口部４０、４１が形成され、各開口部４０、４１にノブ２５、２６が回転可能に配置される。詳述すると、開口部４０には、リングホルダ４２が挿入され、このリングホルダ４２に、電源のオンオフ及び各種機能（ファンクション）の切り換えを行うためのノブ２５が配置される。また、他方の開口部４１には、リングホルダ４４が挿入され、このリングホルダ４４に、ボリューム調整などを行うためのノブ２６が配置される。さらに、前面パネル１６には、樹脂パネル１３と同様に、各種操作スイッチが挿通される開口部が形成される。これにより、この前面パネル１６側からノブ２５、２６等の各種操作スイッチを操作できるように構成されている。
【００２５】
また、この前面パネル１６においては、各操作スイッチの近傍などに、操作スイッチの機能を示す文字や記号などの絵柄、又は、ロゴなどの絵柄（後述する絵柄部４５）が設けられ、ユーザが各操作スイッチの機能を視認可能になっている。
【００２６】
図２は、この電子機器１０の正面図であり、図３は、図２のＡ−Ａ断面を示す断面図である。
【００２７】
上述したように、この電子機器１０においては、２つのＬＥＤ２０、２１が配置されるだけである。図１及び図３に示すように、各ＬＥＤ２０、２１は、前面パネル１６の開口部３４、３５の裏側に位置し、ＬＥＤ２０、２１の出射光Ｌ０を、この開口部３４、３５に向けて出射するように配置されている。本実施形態では、図３に示すように、この開口部３４、３５に挿入される留め具３２、３３の内側に、ＬＥＤ２０、２１の出射光Ｌ０を、前面パネル１６の表面と略平行方向に反射させる反射面５０を有し、該出射光Ｌ０を前面パネル１６に入射させる導光部材（導光手段）５１が設けられる。また、この導光部材５１は、一端に、ＬＥＤ２０、２１の出射光Ｌ０を集光するレンズが形成され、これにより、ＬＥＤ２０、２１の出射光Ｌ０を効率よく前面パネル１６の内部に導く。この前面パネル１６に入射された光Ｌ１は、前面パネル１６の表面及び裏面でほぼ全反射され、前面パネル１６内を伝搬する。すなわち、前面パネル１６を透明部材で形成することによって、光Ｌ１を伝搬する導光体として機能させることができる。
【００２８】
このように前面パネル１６内に光Ｌ１を伝搬させると、ノブ２５、２６等の操作スイッチの開口部（４０、４１等）や挿入用開口部３８、３９に到達した光は、図示はしていないが、各開口部の周縁部の裏面が面取加工されているので、該裏面で反射されて前面パネル１６の前面から出射する。これにより、操作スイッチや挿入用開口部３８，３９の周囲（光出射部）を照明することができる。
【００２９】
また、本実施形態では、各操作スイッチの機能やロゴなどを示す文字などを記述した絵柄部（光出射部）４５（図２参照）が、前面パネル１６の裏側に白色で印刷される構成を採る。これにより、絵柄部４５は、前面パネル１６に入射した光Ｌ１を反射させて前面パネル１６の前面から出射させる。従って、各絵柄部４５の照明光が前面パネル１６から出射されるので、暗所でも絵柄部４５の絵柄を外部から視認することが可能となる。さらに、この場合、各絵柄が前面パネル１６の表面に浮かび上がったような照明効果で視認可能となり、美感上優れた照明効果を演出することができる。なお、絵柄部４５は、白色の印刷に限らず、少なくとも、反射率の高い画像であればよい。また、絵柄部４５は、印刷画像に限らず、前面パネル１６の裏側に絵柄の凹凸を設け、この凹凸によって光を反射して前面パネル１６から出射させるようにしてもよい。
【００３０】
ところで、この電子機器１０においては、図２に示すように、前面パネル１６のほぼ中央に、ＭＤの挿入用開口部（阻害部）３９があるため、各ＬＥＤ２０、２１から入射された光Ｌ１は、そのままでは挿入用開口部３９の背面側にはほとんど伝搬せず、挿入用開口部３９の背面側にある操作スイッチは絵柄部４５を照明することができない。なお、図２においては、ＬＥＤ２０、２１を図示するために、留め具３２、３３を省略して示している。
【００３１】
そこで、本実施形態においては、図２に示すように、留め具３２、３３に配置される導光部材５１の反射面５０が、ＬＥＤ２０、２１の出射光Ｌ０の主たる入射方向を、ノブ２５、２６の開口部４０、４１に向かう方向であって、かつ、他の操作ボタンの開口部や絵柄部４５を横切らない方向にすると共に、この入射した光Ｌ１を、挿入用開口部３９の背面側に反射させる反射面（反射部）４０Ａ、４１Ａを各開口部４０、４１に形成する。
【００３２】
これにより、ＬＥＤ２０、２１の出射光Ｌ０の大部分を反射面４０Ａ、４１Ａで反射させて、挿入用開口部３９の背面側に伝搬させることができ、挿入用開口部３９の背面側の操作ボタン及び絵柄部４５を明るく照明させることができる。
【００３３】
以上説明したように、本実施形態に係る電子機器１０は、前面パネル１６を透明部材の導光体とし、この導光体に２つのＬＥＤ２０、２１から入射した光Ｌ１を伝搬させることにより、少ない光源数で、全ての操作スイッチ、挿入用開口部３８、３９及び絵柄部４５を照明させることができる。
【００３４】
また、絵柄部４５を導光体でなる前面パネル１６の裏側に印刷して形成したことにより、優れた照明効果で文字やロゴなどの絵柄を簡易に照明させることができる。さらに、ＬＥＤ２０、２１の出射光Ｌ０の入射方向を決める導光部材５１を、前面パネル１６を留める留め具３２、３３の中に配置したことにより、導光部材５１を配置するスペースを特に設ける必要がなく、また、この導光部材５１によって出射光Ｌ０の入射方向及び入射角度を所望のものに簡易に設定することができる。なお、留め具３２、３３の開口部３４、３５から光を入射する場合に限らず、既存の他の開口部から光を入射してもよく、また、光入射用の開口部を別途設けてもよい。光を入射する開口部は、粉塵の進入を防止するために上記留め具３２、３３のような蓋を設けるか、この開口部を貫通しない穴に形成することが好ましい。
【００３５】
また、導光部材５１によって操作ボタン及び絵柄部４５を横切らないように、光を入射し、この入射光Ｌ１を既存の開口部４０、４１に形成した反射面４０Ａ、４１Ａで反射させて、入射光Ｌ１が伝搬しない領域（挿入用開口部３９の下側）に光を伝搬させたことにより、各操作ボタンや絵柄部４５等を均等に照明することができる。
【００３６】
また、本実施形態では、ＬＥＤ２０、２１からの光Ｌ０を、前面パネル１６に対し、この電子機器１０を設置する場合の上側から略下側に向かう方向に入射させるので、前面パネル１６から漏れた光Ｌ１がユーザの目に直接入ってしまう場合を回避することができる、といった効果も奏する。すなわち、この種の電子機器は、ユーザの目よりも下方に配置されるため、前面パネル１６の上側から略下側に向けて光を伝搬させることにより、ユーザの目に直接光が入ってしまう場合が回避される。
【００３７】
従って、本実施形態の電子機器１０は、従来の照明部位毎に光源を配置したり、照明部位毎に透明部材とするものに比べて、前面パネルを照明する光源の数を少なくでき、かつ、簡易に多くの絵柄を暗所でも視認可能にすることができ、また、装置の小型化及びコスト低減を図ることができる。
【００３８】
上述の実施形態では、２つのＬＥＤ２０、２１を用いる場合について述べたが、２つに限定する必要は必ずしもなく、３つ以上もしくは１つであってもよい。また、光源はＬＥＤなどの点光源に限らず、蛍光灯などを用いた線光源や面光源を用いてもよい。
【００３９】
また、上述の実施形態では、ノブ２５、２６挿入用の開口部４０、４１の一部を、入射した光Ｌ１を挿入用開口部３９の背面側に反射させる反射形状に形成して反射面（反射部）４０Ａ、４１Ａを形成する場合について述べたが、それ以外の部位に反射面（反射部）４０Ａ、４１Ａを形成するようにしてもよい。
【００４０】
また、上述の実施形態では、ＣＤやＭＤ等を再生する車載用の電子機器１０に本発明を適用する場合について述べたが、ナビゲーション装置、ビデオレコーダなどであってもよく、車載以外の電子機器にも広く適用が可能である。
【００４１】
【発明の効果】
上述したように本発明は、前面パネルを照明する光源の数を少なくすることができる。
【図面の簡単な説明】
【図１】本実施形態にかかる車載用の電子機器を示す分解斜視図である。
【図２】上記電子機器の正面図である。
【図３】図２のＡ−Ａ断面を示す断面図である。
【符号の説明】
１０  電子機器
１１  機器本体
１２  プリント基板
１３  樹脂パネル
１４  デコレートパーツ
１５  スペーサ
１６  前面パネル
２０、２１  ＬＥＤ
３２、３３  留め具
３８、３９  挿入用開口部
４０Ａ、４１Ａ、５０  反射面
４５  絵柄部
５１  導光部材
【図１】
2004325682.tif 000003
【図２】
2004325682.tif 000004
【図３】
2004325682.tif 000005